(57)【要約】【課題】  本発明の課題は、撮影者が容易に情報を入力して、また、撮影した画像の内容を容易に確認できる撮影装置を提供することである。【解決手段】撮影して得た画像信号からビットマップデータを生成して、メモリーに保持する撮像手段と、音声入力を開始する音声入力開始手段と、音声を音声信号に変換する音声入力手段と、前記音声信号を分析して、仮名を生成する音声認識手段と、前記生成された仮名文字列をテキストに変換する文字列変換手段と、前記変換された文字列を含んだ表題を作成して、画像データに付加する画像データ表題作成手段と、画像データ識別情報を生成して、表題と前記生成した画像データ識別情報と前記メモリーに保持されたビットマップデータとを合成した画像データを生成する画像データ生成手段と、を備えることを特徴とする音声入力機能付撮影装置である。【選択図】図１
2007049245.tif 000002
【特許請求の範囲】
【請求項１】
仮名文字列とテキストを関連付けた表形式のテキストデータを記録した辞書ファイルと表題や画像データ識別情報を含む画像データを記憶する画像データファイルを記憶する記憶手段と、
撮影して得た画像信号からビットマップデータを生成して、メモリーに保持する撮像手段と、
音声入力を開始する音声入力開始手段と、
音声を音声信号に変換する音声入力手段と、
前記音声信号を分析して、仮名を生成する音声認識手段と、
前記生成された仮名文字列をキーにして、辞書ファイルを参照して、前記キーと一致する少なくとも１つのテキストを変換候補として呈示して、選択されたテキストに変換する文字列変換手段と、
前記変換された文字列を含んだ表題を作成して、画像データに付加する画像データ表題作成手段と、
画像データ識別情報を生成して、表題と前記生成した画像データ識別情報と前記メモリーに保持されたビットマップデータとを合成した画像データを生成する画像データ生成手段と、
を備えることを特徴とする音声入力機能付撮影装置。
【請求項２】
仮名文字列とテキストを関連付けた表形式のテキストデータを記録した辞書ファイルと画像データ識別情報を含む画像データを記憶する画像データファイルを記憶する記憶手段と、
撮影して得た画像信号からビットマップデータを生成して、メモリーに保持する撮像手段と、
音声入力を開始する音声入力開始手段と、
音声を音声信号に変換する音声入力手段と、
前記音声信号を分析して、仮名を生成する音声認識手段と、
前記生成された仮名文字列をキーにして、辞書ファイルを参照して、前記キーと一致する少なくとも１つのテキストを変換候補として呈示して、選択されたテキストに変換する文字列変換手段と、
画像データ識別情報を生成して、前記生成した画像データ識別情報と前記メモリーに保持されたビットマップデータとを合成した画像データを生成する画像データ生成手段と、
前記画像データ識別情報に前記変換されたテキストを追加して新しい画像データ識別情報を生成する画像データ識別情報生成手段と、
を備えることを特徴とする音声入力機能付撮影装置。
【請求項３】
仮名文字列とテキストを関連付けた表形式のテキストデータを記録した辞書ファイルと表題と画像データ識別情報を含む画像データを記憶する画像データファイルを使用する音声入力撮影方法であって、
撮影して得た画像信号からビットマップデータを生成して、メモリーに保持する撮像ステップと、
音声入力を開始する音声入力開始ステップと、
音声を音声信号に変換する音声入力ステップと、
前記音声信号を分析して、仮名を生成する音声認識ステップと、
前記生成された仮名文字列をキーにして、辞書ファイルを参照して、前記キーと一致する少なくとも１つのテキストを変換候補として呈示して、選択されたテキストに変換する文字列変換ステップと、
前記変換された文字列を含んだ画像データの表題を作成する画像データ表題作成ステップと、
画像データ識別情報を生成して、表題と前記生成した画像データ識別情報と前記メモリーに保持されたビットマップデータとを合成した画像データを生成する画像データ生成ステップと、
を含んだ手順でなされることを特徴とする音声入力撮影方法。
【請求項４】
仮名文字列とテキストを関連付けた表形式のテキストデータを記録した辞書ファイルと表題や画像データ識別情報を含む画像データを記憶する画像データファイルを使用する音声入力撮影方法であって、
撮影して得た画像信号からビットマップデータを生成して、メモリーに保持する撮像ステップと、
前記メモリーに保持されたビットマップデータと生成して名と表題を含んだ画像データを生成する画像データステップと、
音声入力を開始する音声入力開始ステップと、
音声を音声信号に変換する音声入力ステップと、
前記音声信号を分析して、仮名を生成する音声認識ステップと、
前記生成された仮名を文字列に変換する文字列変換ステップと、
画像データ識別情報を生成して、前記生成した画像データ識別情報と前記メモリーに保持されたビットマップデータとを合成した画像データを生成する画像データ生成ステップと、
前記画像データ識別情報に、前記変換されたテキストを追加して新しい画像データ識別情報に変更する画像データ識別情報変更ステップと、
を含んだ手順でなされることを特徴とする音声入力撮影方法。
【請求項５】
コンピュータに組込むことによって、コンピュータを請求項１から、請求項２までのいずれか１項に記載の音声入力機能付撮影装置として動作させるコンピュータプログラム。
【請求項６】
請求項５に記載のコンピュータプログラムを記録したコンピュータ読取り可能な記録媒体。
【発明の詳細な説明】
【技術分野】
【０００１】
本発明は、デジタルカメラに代表される撮影装置にて撮影した画像データに、音声入力にて画像データ名称を付与する音声入力機能付撮影装置及び撮影方法に関するものである。
【背景技術】
【０００２】
従来から、デジタルカメラで被写体を撮影した画像データを、記憶媒体に記録する時には、アルファベットや数字を用いた通し番号による画像データ名称を付与して、さらに、撮影画像の内容を識別しやすくするために、追加情報を加えることが一般的に行われている。
【０００３】
たとえば、特許文献１には、画像を撮影した時に音声入力した情報を、撮影画像に合成して表示させることで画像を識別する技術が開示されている。（従来技術１）
【特許文献１】特開２００３−３４８４１０号公報（４〜５頁、図１−３、８）特許文献２には、機械的に付けられた画像データ名称に、デジタルカメラの入力部から文字を入力して、表題として撮影した画像データに付与して、画像を識別する技術が開示されている。（従来技術２）
【特許文献２】特開平１０−１８７６２７号公報（４〜５頁、図１−２）
【発明の開示】
【発明が解決しようとする課題】
【０００４】
しかし、従来技術１では、画像を識別するため音声入力した文字情報の内容を確かめるためには（つまり、画像を識別するためには）、画像を表示させなければならないという欠点があった。また、従来技術２では、入力部から文字を入力するときに、撮影を中断しなければならないという問題があった。
【０００５】
本発明はこのような従来技術を考慮してなされたものであって、本発明の課題は、撮影者が容易に情報を入力して、また、撮影した画像の内容を容易に確認できる撮影装置を提供することである。
【課題を解決するための手段】
【０００６】
本発明は、以下のような解決手段により、前記課題を解決する。すなわち、請求項１の発明は、仮名文字列とテキストを関連付けた表形式のテキストデータを記録した辞書ファイルと表題や画像データ識別情報を含む画像データを記憶する画像データファイルを記憶する記憶手段と、撮影して得た画像信号からビットマップデータを生成して、メモリーに保持する撮像手段と、音声入力を開始する音声入力開始手段と、音声を音声信号に変換する音声入力手段と、前記音声信号を分析して、仮名を生成する音声認識手段と、前記生成された仮名文字列をキーにして、辞書ファイルを参照して、前記キーと一致する少なくとも１つのテキストを変換候補として呈示して、選択されたテキストに変換する文字列変換手段と、前記変換された文字列を含んだ表題を作成して、画像データに付加する画像データ表題作成手段と、画像データ識別情報を生成して、表題と前記生成した画像データ識別情報と前記メモリーに保持されたビットマップデータとを合成した画像データを生成する画像データ生成手段と、を備えることを特徴とする音声入力機能付撮影装置である。
【０００７】
したがって、音声入力した情報が付加された表題を見ることで、画像データの内容を理解することができる。
【０００８】
請求項２の発明は、仮名文字列とテキストを関連付けた表形式のテキストデータを記録した辞書ファイルと画像データ識別情報を含む画像データを記憶する画像データファイルを記憶する記憶手段と、撮影して得た画像信号からビットマップデータを生成して、メモリーに保持する撮像手段と、音声入力を開始する音声入力開始手段と、音声を音声信号に変換する音声入力手段と、前記音声信号を分析して、仮名を生成する音声認識手段と、前記生成された仮名文字列をキーにして、辞書ファイルを参照して、前記キーと一致する少なくとも１つのテキストを変換候補として呈示して、選択されたテキストに変換する文字列変換手段と、画像データ識別情報を生成して、前記生成した画像データ識別情報と前記メモリーに保持されたビットマップデータとを合成した画像データを生成する画像データ生成手段と、前記画像データ識別情報に前記変換されたテキストを追加して新しい画像データ識別情報を生成する画像データ識別情報生成手段と、を備えることを特徴とする音声入力機能付撮影装置である。
【０００９】
請求項３の発明は、仮名文字列とテキストを関連付けた表形式のテキストデータを記録した辞書ファイルと表題と画像データ識別情報を含む画像データを記憶する画像データファイルを使用する音声入力撮影方法であって、撮影して得た画像信号からビットマップデータを生成して、メモリーに保持する撮像ステップと、音声入力を開始する音声入力開始ステップと、音声を音声信号に変換する音声入力ステップと、前記音声信号を分析して、仮名を生成する音声認識ステップと、前記生成された仮名文字列をキーにして、辞書ファイルを参照して、前記キーと一致する少なくとも１つのテキストを変換候補として呈示して、選択されたテキストに変換する文字列変換ステップと、前記変換された文字列を含んだ画像データの表題を作成する画像データ表題作成ステップと、画像データ識別情報を生成して、表題と前記生成した画像データ識別情報と前記メモリーに保持されたビットマップデータとを合成した画像データを生成する画像データ生成ステップと、を含んだ手順でなされることを特徴とする音声入力撮影方法である。
【００１０】
請求項４の発明は、仮名文字列とテキストを関連付けた表形式のテキストデータを記録した辞書ファイルと表題や画像データ識別情報を含む画像データを記憶する画像データファイルを使用する音声入力撮影方法であって、撮影して得た画像信号からビットマップデータを生成して、メモリーに保持する撮像ステップと、前記メモリーに保持されたビットマップデータと生成して名と表題を含んだ画像データを生成する画像データステップと、音声入力を開始する音声入力開始ステップと、音声を音声信号に変換する音声入力ステップと、前記音声信号を分析して、仮名を生成する音声認識ステップと、前記生成された仮名を文字列に変換する文字列変換ステップと、画像データ識別情報を生成して、前記生成した画像データ識別情報と前記メモリーに保持されたビットマップデータとを合成した画像データを生成する画像データ生成ステップと、前記画像データ識別情報に、前記変換されたテキストを追加して新しい画像データ識別情報に変更する画像データ識別情報変更ステップと、を含んだ手順でなされることを特徴とする音声入力撮影方法である。
【００１１】
請求項５の発明は、コンピュータに組込むことによって、コンピュータを請求項１、または、請求項２に記載の音声入力機能付撮影装置として動作させるコンピュータプログラムである。
【００１２】
請求項６の発明は、請求項５に記載のコンピュータプログラムを記録したコンピュータ読取り可能な記録媒体である。
【発明の効果】
【００１３】
本願発明によれば、被写体を撮影した後に、音声入力による文字列を画像データの表題としたり、画像データ識別情報（たとえば、画像データ名）の一部にすることで、画像を容易に識別することが可能となる。
また、大量の画像の選択や整理の作業性が向上する。
【発明を実施するための最良の形態】
【００１４】
以下、図面等を参照しながら、本発明の実施の形態について、更に詳しく説明する。図３は、双方向型製版編集システムの詳細な構成図である。音声入力機能付撮影装置１００は、音声入力開始手段１１０と、音声入力手段１２０と、音声認識手段１３０と、文字列変換手段１４０と、画像データ表題作成手段１５０と、画像データ識別情報作成手段１６０と、撮像手段１７０と、画像データ生成手段１８０と、記憶手段１９０と、を備える。記憶手段１９０は、辞書ファイル１９１と、画像データファイル１９３を記憶する。
【００１５】
辞書ファイル１９１は、仮名文字列とテキスト（たとえば、ひらがな、カタカナ、英数字など）とを関連付けた表形式のテキストデータである。画像データファイル１９３は、表題と画像データ識別情報（たとえば、画像データ名）とを含む画像データを記憶する。
【００１６】
音声入力開始手段１１０は、音声入力を開始する。音声入力手段１２０は、音声を音声信号に変換する。音声認識手段１３０は、前記音声信号を分析して、仮名を生成する。文字列変換手段１４０は、前記生成された仮名文字列をキーにして、辞書ファイル１９１を参照して、前記キーと一致するテキストを変換候補として呈示して、選択されたテキストに変換する。画像データ表題作成手段１５０は、前記変換されたテキストを含んだ画像データの表題を作成する。画像データ識別情報変更手段１６０は、所定の画像データ識別情報（たとえば、画像データ名）に、前記変換されたテキストを追加して新しい画像データ名を生成する。撮像手段１７０は、撮影して得た画像信号からビットマップデータを生成して、メモリーに保持する。画像データ生成手段１８０は、前記メモリーに保持されたビットマップデータと前記生成した表題を含んだ画像データを生成する。
【００１７】
音声信号に変換する音声入力手段１２０は、マイクロフォンである。音声を音声入力開始手段１１０は、押しボタン式スウィッチである。撮像手段１７０は、ＣＣＤである。前記音声信号を分析して、仮名を生成する音声認識手段１３０と、前記生成された仮名を文字列に変換する文字列変換手段１４０と、前記変換された文字列を含んだ画像データの表題を作成する画像データ表題作成手段１５０と、前記変換された文字列を含んだ画像データ名を作成する画像データ識別情報変更手段１６０と、画像データ生成手段とは、コンピュータプログラムである。記憶手段１３０は、不揮発性メモリーである。辞書ファイル１９１と、画像データファイル１９３とは、コンピュータ可読なデータの集合体である。
【００１８】
図４は、画像データの構造説明図である。画像データ１９３ａは、「原稿データ名部」１９３ｃと「表題部」１９３ｄと「画像データ部」１９３ｅから構成される。「原稿データ名」１９３ｃは、ユニークな文字列である。原稿データ名の文字列は、装置１００が所定の手順で生成した文字列を含む。「表題」１９３ｄは、音声入力により入力された文字列を含んだ文字列である。画像データ１９３ｅは、ビットマップデータ（たとえば、ＪＰＥＧデータ、ＲＧＢデータ）である。
【００１９】
図９は、データ転送中継サーバ装置１００のフローチャートである。
（１）撮像手段１７０は、撮影して得た画像信号からビットマップデータを生成して、メモリーに保持する。（ステップＳ１１０）
（２）撮影者は、被写体を撮影した直後に音声入力ボタン１１０を押して、表題を音声入力する。（ステップＳ１１１）
（３）音声入力手段１２０は、音声を音声信号に変換して、装置に取り込む。音声認識手段１３０は、前記音声信号を分析して、仮名文字列を生成する。（ステップＳ１２０）
（５）文字列変換手段１４０は、前記生成された仮名文字列をキーにして、辞書ファイル１９１を参照して、前記キーと一致するテキストを変換候補として呈示して、撮影者が選択したテキストに変換する。（ステップＳ１２１）
（６）画像データ表題作成手段１５０は、前記変換されたテキストを含んだ画像データの表題を作成する（ステップＳ１３０）
（７）画像データ生成手段１８０は、ユニークな画像名を作成して、この生成した画像名と前記生成した表題と前記メモリーに保持されたビットマップデータとを含んだ画像データを生成する。（ステップＳ１３１）
【００２０】
なお、ステップＳ１２１以降において、画像データ識別情報変更手段１６０を用いて、所定の画像データ名に、前記変換されたテキストを追加して新しい画像データ名を生成させて、画像データ名としても良い。この場合には、画像データ１９３ａの「表題部」１９３ｄは、なくても良い。
【００２１】
このように、文字列変換には文書作成ソフトに用いられているかな漢字変換機能及び辞書ファイルを本装置に具備することにより漢字、カタカナ、ひらがな、アルファベットなどの文字列に変換することが可能である。
【００２２】
また、音声入力によって画像ファイル名を設定する操作は、画像データファイル１９３に保存されている画像データを呼び出して行ってもよい。
【００２３】
以上詳しく説明したように、本発明によれば、被写体を撮影した後に、音声入力による文字列を画像データの表題としたり、画像データ名の一部にすることで、画像を容易に識別することが可能となった。
また、大量の画像の選択や整理の作業性が向上した。。
【図面の簡単な説明】
【００２４】
【図１】音声入力機能付撮影装置の構成図
【図２】画像データの構造
【図３】音声入力情報の記録のフローチャート
【符号の説明】
【００２５】
１００  音声入力機能付撮影装置
１１０  音声入力開始手段
１２０  音声入力手段
１３０  音声認識手段
１４０  文字列変換手段
１５０  画像データ表題作成手段
１６０  画像データ識別情報変更手段
１７０  撮像手段
１８０  画像データ生成手段
１９０  記憶手段
１９１  辞書ファイル
１９３  画像データファイル
【図１】
2007049245.tif 000003
【図２】
2007049245.tif 000004
【図３】
2007049245.tif 000005